(57)【特許請求の範囲】
【請求項１】
表示手段と、入力信号に位相ロックした出力信号を生成するＰＬＬ発振回路とを有する信号測定装置において、
上記ＰＬＬ発振回路の上記入力信号と上記出力信号の位相差を検出する位相差検出手段と、
該位相差検出手段が検出する上記ＰＬＬ発振回路の上記入力信号と上記出力信号の上記位相差が位相ロック範囲内の位相ロックが外れる閾値に近い両端の範囲に達したことを検出すると、上記表示手段のバックライトを所定パターンで駆動する制御手段とを具えることを特徴とする信号測定装置。
【発明の詳細な説明】
【０００１】
【発明の属する技術分野】
本発明は信号測定装置に関し、特に入力信号に同期したクロック信号などを生成する場合に、クロック信号の入力信号に対する位相ロックが外れそうになったときなど特定の状態になったときに、ユーザがそれを容易に認識できるようにしたことを特徴とする信号測定装置に関する。
【０００２】
【従来の技術】
信号測定装置は、外部からの入力信号を受けて、その周波数や信号波形を測定することにより、入力信号が所望の特性を有しているかどうかを判断するための使用される。また、必要に応じて、入力信号と位相のロックした信号を生成する場合もある。例えば、入力信号がデジタル・テレビジョン信号である場合には、それに含まれる輝度信号や色信号等の特性を測定するために、信号測定装置自身も入力されたデジタル・テレビジョン信号から内部クロック信号を生成し、これに従って各種信号の特性を測定することが必要になる。よって、もし内部クロック信号が入力信号に対して位相ロックできない状態になると、正常な測定ができなくなる。そこでこうした場合には、装置本体の前面に設けたＬＥＤ等の点滅で告知するといったことで、位相ロックできない状態になったことをユーザに知らせるといった方法が取られている
【０００３】
また、信号測定装置は、電源を入れると装置内部の回路において熱が発生する。こうした熱は、回路の誤動作の原因となり、更には内部の半導体素子の破壊にもつながる。そこで、こうした内部の熱を外部に放出するために、冷却ファンが設けられる。もしこの冷却ファンの回転が何らかの原因で停止すると、装置の内部は想定している以上の温度となってしまう。そこでこうした場合にも、装置本体の前面に設けたＬＥＤ等の点滅でユーザにそれを告知するといった方法が取られている。
【０００４】
【発明が解決しようとする課題】
テレビジョン信号の測定に使用される信号測定装置などでは、多数の測定器が段積みにされて使用され、よって人の目線よりも高い位置に装置が配置されることも多い。このときＬＥＤは、音量等の大きさの表示にも使用されており、多数の装置があるなかで、仮にある１つの信号測定装置が上述したような状態になったとしてその装置のＬＥＤが点滅しても、ユーザはそれを見落としてしまうことがあった。
【０００５】
そこで本発明は、入力信号に対してＰＬＬ発振回路の出力信号の位相ロックが所定の範囲を外れた場合や外れそうな場合に、ユーザがそれを外部から容易に認識できるようにした信号測定装置を提供しようとするものである。また、本発明は、同様の手法を用いて、冷却ファンの回転異常が起こった場合に、これを外部から容易に認識できるようにした信号測定装置を提供しようとするものである。
【０００６】
【課題を解決する為の手段】
本発明は、表示手段と、入力信号に同期した信号を生成するＰＬＬ発振回路とを有する信号測定装置に関するものである。このとき、位相差検出手段がＰＬＬ発振回路の入力信号と出力信号の位相差を検出する。そして、位相差検出手段が検出するＰＬＬ発振回路の入力信号と出力信号の位相差に応じて、制御手段が表示手段のバックライトを所定パターンで駆動する。即ち、表示手段の全面がバックライトにより所定パターンで駆動されるので、信号測定装置が仮にユーザは目線よりも高い位置に設置されたとしても、位相ロックがはずれたことを容易に認識することができる。
【０００７】
更に、位相差検出手段がＰＬＬ発振回路の出力信号と入力信号の位相差が所定範囲に達したことを検出すると、制御手段はバックライトを所定パターンで駆動するようにしても良い。この所定範囲は、例えば、位相ロックを維持できる範囲（位相ロック範囲）から外れる範囲とすれば良い。また、この位相ロック範囲を、更に位相ロックが外れる閾値に近い両端の範囲と中心部分の範囲との２つに分け、位相ロックが外れる閾値に近い両端の範囲に入るとバックライトを所定パターンで駆動するようにしても良い。更に、これら範囲に応じてバックライトを駆動するパターンを異なるものとしても良い。
【０００８】
また、本発明は、表示手段と、内部の熱を外部に放出する冷却ファンとを有する信号測定装置において、冷却ファンの回転異常を検出する回転異常検出手段と、回転異常検出手段が冷却ファンの回転異常を検出すると表示手段のバックライトを所定パターンで駆動する制御手段とを具えるようにしている。これによりユーザは、信号測定装置の冷却ファンに回転異常が発生したときに表示手段の全面の点滅により、容易にそれを認識することができる。
【０００９】
なお、位相ロックがはずれた場合と、冷却ファンの回転異常の場合とで、バックライトを駆動するパターンが異なるようにしても良い。更にこのとき同時に、表示手段において、位相ロックが外れたのか、冷却ファンの回転異常であるのかを表示するようにしても良い。
【００１０】
【発明の実施の形態】
以下、本発明の好適な実施の形態を図面を参照しながら説明する。尚、以下に述べる実施形態は、本発明の好適な具体例であるから、技術的に好ましい種々の限定が付されているが、本発明の範囲は、以下の説明において特に本発明を限定する旨の記載がない限り、これらの態様に限定されるものではない。
【００１１】
図１は、本発明による信号測定装置の好適な実施形態の一例のブロック図である。なお、図示せずも、各ブロックには、それぞれ電源が供給される。入力増幅回路８は高入力インピーダンスの緩衝増幅器であり、例えば、デジタル・テレビジョン信号を受け、この入力信号に歪みが生じないようする。同期信号抽出回路１０は、垂直同期信号等の所望の同期信号を抽出する。ＰＬＬ発振回路２０は、同期信号と位相がロックした出力信号（内部クロック信号）を生成し、バス３０に供給する。
【００１２】
図２は、ＰＬＬ発振回路２０の１例のブロック図である。電圧制御発振回路（ＶＣＯ）１８は、ＬＰＦ（ローパス・フィルタ）１６から制御電圧Ｖｃを受け、これに応じてその出力信号の周波数が変化する発振回路である。電圧制御発振回路（ＶＣＯ）１８の出力信号（この例では内部クロック信号）は、分周回路１２で分周比Ｎで分周された後、入力信号（この例では同期信号）と位相が比較される。位相比較回路１４は、これらの位相差に応じた周波数成分を持つ信号を出力する。ＬＰＦ１６は、位相比較回路１４の出力信号の高周波数成分をカットし、入力信号と出力信号を分周した信号の位相差に応じた制御電圧Ｖｃを生成する。ＬＰＦ１６が出力する制御電圧Ｖｃによって、出力信号を分周した信号が入力信号と同じ周波数及び位相となるように、ＶＣＯ１８の出力信号の周波数が制御される。分周回路１２には、分周比Ｎを任意に設定可能なプログラム・カウンタを利用することが多く、分周比Ｎを例えばＣＰＵ（中央演算装置）３２で制御して変更する。これにより出力信号の周波数は、入力信号の周波数のＮ倍の周波数となる。制御電圧Ｖｃは、位相差検出回路２２にも供給され、後述するようにＰＬＬ発振回路２０が、その入力信号（同期信号）と出力信号（内部クロック信号）を位相ロックできるか否かの判断に利用される。
【００１３】
Ｙ／Ｃ分離回路２４は、入力信号中の輝度信号と色信号を分離し、デジタル信号としてバス３０に供給する。これら信号について、位相差、Ｓ／Ｎ比等種々の特性が測定される。なお、これらの信号の同期を取るために上述の内部クロック信号が使用される。冷風ファン２６は、信号測定装置の筐体内部に発生する熱を外部に放出する。もしこの冷風ファン２６の回転が停止するなどの回転異常が発生した場合には、回転異常検出回路２８がこれを検出し、バス３０を介して制御回路３２に知らせる。
【００１４】
制御回路（ＣＰＵ）３２は、ＲＯＭ３６に予め記憶されたプログラムに従って信号測定装置全体を制御する。ＲＡＭ３４には、ＲＯＭ３６から読み出されたプログラムが一時的に保持されるほか、位相差検出回路２２及びＹ／Ｃ分離回路２４からのデータも一時的に保持し、制御回路（ＣＰＵ）３２での演算に利用される。図示せずも、ハードディスク（磁気ディスク装置）などの大容量記憶装置も必要に応じて使用される。
【００１５】
液晶表示画面制御回路３８は、制御回路３２の制御に従って液晶表示画面４０の表示内容を制御し、輝度信号や色信号等の波形や種々の測定データを表示する。バックライト制御回路４２は、制御回路３２の制御に従ってバックライト４４を駆動し、その点滅を制御する。バックライト４４には、ＥＬ等の周知の素子を使用すれば良い。液晶表示画面４０及びバックライト４４は、表示手段４６を構成する。
【００１６】
図２を再度参照すると、ＶＣＯ１８は制御電圧Ｖｃによってその出力信号の周波数を変化させることで出力信号の位相を制御する。このとき以下では、例として、ＰＬＬ発振回路の入力信号である同期信号に対して出力信号である内部クロック信号を位相ロックできるのは、制御電圧Ｖｃが２Ｖ〜７Ｖの範囲（位相ロック範囲）にあるときとして説明する。つまり、制御電圧Ｖｃの２Ｖは位相ロックが外れる下側の閾値であり、制御電圧Ｖｃの７Ｖは位相ロックが外れる上側の閾値である。そしてこれら閾値を越える範囲が、位相ロックが外れる範囲である。そこで、制御電圧Ｖｃの値を位相差検出回路２２で監視することで、ＰＬＬ発振回路２０の位相ロックが外れるか否かを判断する。
【００１７】
図３は、制御電圧Ｖｃとバックライトの点滅パターンの関係を示すチャート図である。図中、Ｈの部分は、バックライトが点灯していることを示し、Ｌの部分は消滅していることを示す。このとき図３Ａは、制御電圧Ｖｃが２Ｖ≦Ｖｃ＜３Ｖ又は６Ｖ＜Ｖｃ≦７Ｖにある場合を示す。これらは、位相ロックはしているものの、外れる危険が高い状態にある場合である。また、図３Ｂは、制御電圧ＶｃがＶｃ＜２Ｖ又は７Ｖ＜Ｖｃにある場合を示す。これらは、位相ロックが外れた状態にある場合である。図３Ａと図３Ｂを比較すると、図３Ａのときの方がバックライトが点灯している時間が長いことがわかる。これによって、図３Ａに示すパターンでバックライト４４が点滅した場合には、位相ロックはしているものの、位相ロックが外れる危険性が高い状態にあることをユーザに告知できる。同様に、図３Ｂに示すパターンでバックライト４４が点滅した場合には、位相ロックが外れていることをユーザに告知できる。更に、これらのとき同時に液晶表示画面４０に位相ロックが外れそうな状態にある又は外れた状態にあることを文字又は記号を用いて表示しても良い。なお、ここでは、図３Ａと図３Ｂの２段階に位相ロック状態を区分したが、もっと多数の段階に区分し、それに応じてバックライトの点滅パターンが変化するようにしても良い。
【００１８】
冷風ファン２６はファンを回転させるモータを有し、回転異常検出回路２８はこのモータの回転に異常があると、それをバス３０を介して制御回路３２に知らせる。回転の異常は、冷風ファン２６のモーターに流れる電流が異常に増加する又は逆に電流が流れないといったことを検出することで行われる。回転異常が検出されると、制御回路３２はバックライト制御回路４２を制御して、バックライトを所定パターンで点滅させる。この場合、装置の熱による破壊を防止するため、必要に応じて信号測定装置の電源をソフトウェアで切るようにしても良い。ただし、放送局で使用されるテレビジョン信号測定装置の場合では、何よりも放送を中断しないことが最優先されるので、単にバックライトの点滅でユーザに警告を発するのみとなっている。
【００１９】
なお、冷風ファン２６の回転異常の場合には、例えば、図３Ｃに示すパターンでバックライトを点滅させ、図３Ａ及び図３Ｂに示す位相ロックに関する点滅パターンとは異なるパターンを採用すると良い。
【００２０】
以上、本発明の好適実施例を説明したが、本発明は、上述の実施例のみに限定されるものではなく、本発明の要旨から逸脱することなく、種々の変形及び修正を加え得ることは当業者には明らかである。例えば、本発明でいう信号測定装置とは、単に入力信号を受けてその波形や電圧等の値を表示するものだけでなく、逆に信号を発生させて種々の回路や装置等に信号を供給することによって、これら回路等の性能を測定するために利用するものも含まれる。
【００２１】
上述のように、本発明の信号測定装置によれば、内部のＰＬＬ発振回路の入力信号と出力信号の位相差が位相ロック範囲内の位相ロックが外れる閾値に近い両端の範囲に達したことを、バックライトの所定パターンの点滅によってユーザに知らせることができる。また、冷風ファンが劣化などの何らか原因で回転異常を起こしたときも、バックライトの所定パターンの点滅によってユーザに知らせるようにしても良い。よって、放送局などにおいて、多数の信号測定装置が段積みされたような状態であっても、表示画面全体がバックライトによって点滅するので、ユーザは一見してどの信号測定装置がこれらの状態になったかを容易に認識できる。
【図面の簡単な説明】
【図１】本発明による信号測定装置の実施形態の１例のブロック図である。
【図２】本発明による信号測定装置での使用に適したＰＬＬ発振回路の１例のブロック図である。
【図３】条件別のバックライト点滅パターンを示すチャート図である。
【符号の説明】
８  入力増幅回路
１０  同期信号抽出回路
１２  分周回路
１４  位相比較回路
１６  ローパス・フィルタ
１８  電圧制御発振回路
２０  発振回路
２２  位相差検出回路
２４  Ｙ／Ｃ分離回路
２６  冷風ファン
２８  回転異常検出回路
３０  バス
３２  制御回路
３４  ＲＡＭ
３６  ＲＯＭ
３８  液晶表示画面制御回路
４０  液晶表示画面
４２  バックライト制御回路
４４  バックライト
４６  表示手段
Ｖｃ  制御電圧
【図１】
0004041269.tif 000002
【図２】
0004041269.tif 000003
【図３】
0004041269.tif 000004